(57)【特許請求の範囲】
【請求項１】
（Ａ）  支持要素（１０、２０）と、
（Ｂ）  ２つの端部を有する巻回を形成するゴング（２２）と
からなり、
前記ゴング（２２）の第１端部は、前記支持要素（１０、２０）に固定され、
前記ゴング（２２）の第２端部は、前記支持要素（１０、２０）に固定される
ことを特徴とする打鈴機構を有する時計。
【請求項２】
前記支持要素（１０、２０）は、底部プレート（２０）で形成される
ことを特徴とする請求項１記載の時計。
【請求項３】
前記支持要素（１０、２０）に搭載された第１ゴング搭載部材（２４、２８）
をさらに有し、
前記ゴング（２２）の第１端部は、前記第１ゴング搭載部材（２４）に固定される
ことを特徴とする請求項１または２記載の時計。
【請求項４】
前記ゴング（２２）の第２端部は、前記第１ゴング搭載部材（２４、２８）に固定される
ことを特徴とする請求項３記載の時計。
【請求項５】
前記第１ゴング搭載部材（２８）は、前記ゴング（２２）の第１端部から第２端部に延びる
ことを特徴とする請求項４記載の時計。
【請求項６】
前記支持要素（１０、２０）に搭載された第２ゴング搭載部材（２６）
をさらに有し、
前記ゴング（２２）の第２端部は、前記第２ゴング搭載部材（２６）に固定される
ことを特徴とする請求項３記載の時計。
【請求項７】
前記ゴング（２２）の端部の一方は、前記ゴング搭載部材（２４、２６、２８）の１つに、ロウ付け又は溶接により固定される
ことを特徴とする請求項３−６のいずれかに記載の時計。
【請求項８】
前記ゴング（２２）の端部の一方は、前記ゴング搭載部材（２４、２６、２８）の１つに、ネジで固定される
ことを特徴とする請求項３−６のいずれかに記載の時計。
【請求項９】
前記第１ゴング搭載部材（２４、２８）は、前記ゴング（２２）と一体品を形成する
ことを特徴とする請求項３−５のいずれかに記載の時計。
【請求項１０】
前記第１ゴング搭載部材（２４）は、前記ゴング（２２）と第２ゴング搭載部材（２６）と一体品を形成する
ことを特徴とする請求項６記載の時計。
【請求項１１】
前記支持要素（１０、２０）に固定された第２ゴング（３０）
をさらに有する
ことを特徴とする請求項１−１０のいずれかに記載の時計。
【請求項１２】
前記第２ゴング（３０）は、その両端で、前記支持要素（１０、２０）に固定される
ことを特徴とする請求項１０記載の時計。
【請求項１３】
前記ゴング（２２）の長さは、フェーズ・オポジション現象を考慮に入れて、選択される
ことを特徴とする請求項１０記載の時計。
【発明の詳細な説明】
【技術分野】
【０００１】
本発明は、時計に関し、特に打鈴機構を有する時計例えばリピータ時計あるいはアラーム付き時計に関する。
【背景技術】
【０００２】
この種の時計は、ハンマーが当たると振動する要素を具備し、直接的又は間接的（別の部品を介して）に音響を生成する。振動要素は、ベル、ゴングあるいは特許文献１に開示される要素である。この種のベルは大型で硬い。特許文献１の要素は、硬いクラウンから形成され、２本のアームを有するフレキシブルな固定要素に搭載される。この２本のアームの端部は支持部材に固定される。小型のゴングが通常好ましい。ゴングは、金属製の細長い板で、断面が円形の金属製ストランドから形成され、所望の音に応じて可変の長さの巻回を形成する。底部プレートにその端部の一方を介して固定されたゴングは、振動を底部プレートに伝搬し、この底部プレートが音を発する。従って、ゴングと底部プレートとの間の結合具合が、伝達される音量と音質に重要な役目を果たす。
【０００３】
【特許文献１】欧州特許第０４００２０５号明細書
【発明の開示】
【発明が解決しようとする課題】
【０００４】
長いゴング例えば懐中時計あるいは「カテドラル（cathedral）」タイプのゴングは、底部プレートの周囲を２回巻回されている。その結果ゴングの振動の振幅が大きくなる。ゴングは、底部プレート、中間部品、ハンマー等に時に接触することがあり、これにより、生成される音を変質させてしまう。このような接触は、衝撃でも発生することがある。このような場合、ゴングは、偶発的に振動し予期せぬ且つ好ましくない音を生成することになる。
【課題を解決するための手段】
【０００５】
本発明は、上記の欠点を解決することである。本発明は、ゴングと近くにある部品とを接触させないように、かくして底部プレートとの結合を改善するために、ゴングの振動振幅を制限する打鈴機構を具備する時計を提供する。
【０００６】
より具体的には、本発明は、支持要素とゴング（２つの端部を有する巻回を形成する）とを有する打鈴機構を具備する時計に関する。このゴングは、巻回の第１端を介して支持部材に結合される。本発明によれば、ゴングの第２端もまた支持部材に結合される。
【０００７】
本発明の一実施例によれば、底部プレートは、支持部材（要素）を形成する。
【０００８】
ゴングの両端は、底部プレートに固定されるために、振幅が減り、振動エネルギーの伝搬が増大する。ゴングの一端は自由端でなければならないという予断および思い込みに反して、音質と音量が改善される。
【実施例】
【０００９】
図１に示す打鈴機構を具備する時計は、中間部分１２とバックカバー１４とから形成されるケース１０を有する。これらは一体となってハウジング１６を形成する。底部プレート２０に搭載されたムーブメント１８は、ハウジング１６内に配置される。文字板１９は、ムーブメント１８の上方に搭載され、指針２１を回転駆動する。ゴングワイヤ２２は、ムーブメント１８の周囲に巻回（必ずしも完全な１周を意味しない）を形成し、底部プレート２０に固定された第１ゴングワイヤ搭載部材２４を介して、固定搭載される。ゴングワイヤ２２は、円形の断面を有するが、本発明の他の実施例によれば、矩形の断面でもよい。ゴングワイヤ２２の材料は、鋼である。
【００１０】
第１ゴングワイヤ搭載部材２４は、底部プレート２０に固定されたブロックから形成され、穴２５が開けられている。この穴２５内にゴングワイヤ２２が挿入され、ロウ付けされる。この固定方法は、当業者に公知である。別の構成として、ゴングワイヤ２２を底部プレート２０に溶接あるいはネジ留めすることも可能である。別の変形例は、ゴングワイヤ２２と第１ゴングワイヤ搭載部材２４が、底部プレート２０に固定される一体品を形成してもよい。ゴングワイヤ２２から底部プレート２０へ最大の振動を伝送するために、ゴングワイヤ２２と底部プレート２０との結合を最適化する適宜の結合方法を当業者は選択できる。
【００１１】
ハンマー（図１には図示せず）は、ゴングワイヤ２２を時計の面に平行な面に沿って打つ。これらのハンマーは、底部プレート２０上に搭載された打鈴機構（例えばリピータ機構）により制御される。
【００１２】
図２に本発明の打鈴機構を具備する時計の底部プレート２０の上面図を示すが、ムーブメント１８は示していない。ゴングワイヤ２２は、従来と同様に２７０度の角度に開いて延びる巻回を形成する。前述したように、ゴングワイヤ２２は、底部プレート２０の第１端に第１ゴングワイヤ搭載部材２４を介して、固定される。
【００１３】
本発明によれば、ゴングワイヤ２２は、底部プレート２０にその第２端で固定される。かくして、第２ゴングワイヤ搭載部材２６は、底部プレート２０に一体に搭載される。ゴングワイヤ２２は、第２ゴングワイヤ搭載部材２６に、第１端と同様な固定方法で、固定される。変形例として、第２端は、別の形態で固定することもできる。本発明の他の実施例によれば、ゴングワイヤ２２と第１ゴングワイヤ搭載部材２４と第２ゴングワイヤ搭載部材２６とは、底部プレート２０に固定された一体品を形成することもできる。ゴングワイヤ２２を、ゴングワイヤ搭載部材２４、２６に固定する如何なる方法を用いようとも、第１ゴングワイヤ搭載部材２４と第２ゴングワイヤ搭載部材２６にそれぞれ到達する複数の波の間で、フェーズ・オポジション（phase oposition）が発生することを考慮に入れなければならない。このフェーズ・オポジションとは、ハンマーがゴングワイヤ搭載部材２４、２６に当たる点から音響波が伝搬する長さと音響波の伝搬速度に応じて、１つあるいは複数の振動周波数が消えてしまう現象である。ゴングワイヤ２２の長さは、この現象を考慮に入れて、選択しなければならない。
【００１４】
図３に示す、上記の実施例の変形例によれば、ゴングワイヤ２２の両端が、単一のゴングワイヤ搭載部材２８に固定される。このゴングワイヤ搭載部材２８は、ゴングワイヤ２２の第１端と第２端の間の角度部分（約９０度）にわたって延びる。
【００１５】
図４は、本発明の打鈴機構を具備する時計の底部プレート２０を示す。この底部プレート２０は、異なる長さのゴングワイヤ２２と３０を有し、異なる音質を提供する。ゴングワイヤ２２と３０の一方（左側）の端部は、底部プレート２０上に搭載された共通ゴングワイヤ搭載部材３２に固定される。他方（右側）の端部は、底部プレート２０に一体に搭載されたゴングワイヤ搭載部材３４と３６に固定される。前述したように、ゴングワイヤ２２の両端は、ゴングワイヤ搭載部材３２、３４に、ゴングワイヤ３０の両端は、ゴングワイヤ搭載部材３２、３６に、ロウ付けあるいは他の適宜の固定方法により、固定される。
【００１６】
本発明の変形例として、ゴングワイヤ２２は、底部プレート２０から延びる様々な支持部材に固定することもできる。例えばケース１０である。この種の実施例においては、ゴングワイヤ２２の両端は、ケース１０に、１個あるいは２個のゴングワイヤ搭載部材２４、２６、２８を用いて固定される。本発明の変形例として、ゴングワイヤ２２は、一方の端部で底部プレート２０に、他方の端部でケース１０に、固定することもできる。
【００１７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００１８】
【図１】本発明の打鈴機構を具備する時計の断面図。
【図２】図１の打鈴機構を具備する時計の底部プレートの上面図。
【図３】図２に示す本発明の時計の一実施例の変形例を示す図。
【図４】図２に示す本発明の時計の一実施例の変形例を示す図。
【符号の説明】
【００１９】
１０    ケース
１２    中間部分
１４    バックカバー
１６    ハウジング
１８    ムーブメント
１９    文字板
２０    底部プレート
２１    針
２２    ゴングワイヤ
２４    第１ゴングワイヤ搭載部材
２５    穴
２６    第２ゴングワイヤ搭載部材
２４，２６，２８  ゴングワイヤ搭載部材
３２    共通ゴングワイヤ搭載部材
３０    ゴングワイヤ
３２，３４  ゴングワイヤ搭載部材
３４，３６  ゴングワイヤ搭載部材
１０，２０  支持部材
【図１】
0005574467.tif 000002
【図２】
0005574467.tif 000003
【図３】
0005574467.tif 000004
【図４】
0005574467.tif 000005